(57)【要約】【課題】複数の電子機器が同時に使用される場合に、ユーザーが音声をステレオで聴くこと【解決手段】画像表示装置１００Ａは、ユーザーに対する位置を判別する位置判別手段１２０と、スピーカー１０４と、音声入力部１０１Ａ、Ｂと、画像表示装置がユーザーの左側にある場合、スピーカーから、左耳用の音声が出力され、右耳用の音声が出力されないように、音声入力部とスピーカーの接続および切断を制御する音声出力制御部１１０Ａと、を有する。【選択図】図１
2016201694.tif 000002
【特許請求の範囲】
【請求項１】
音声を出力する電子機器であって、
所定位置に対する前記電子機器の位置を判別する位置判別手段と、
入力信号に基づいて音声出力手段を駆動する駆動信号を出力する音声信号処理手段と、
左用の音声と右用の音声のうち前記位置判別手段が判別した前記電子機器の位置に対応する音声が前記音声出力手段から出力され、前記電子機器の位置に対応しない音声が前記音声出力手段から出力されないように、前記音声信号処理手段と前記音声出力手段の接続および切断を制御する音声出力制御手段と、
を有することを特徴とする電子機器。
【請求項２】
前記電子機器は、画像を表示することができ、
複数の電子機器は、複数の画像を出力して該複数の画像が全体として１つの画像を形成することができることを特徴とする請求項１に記載の電子機器。
【請求項３】
前記音声出力制御手段は、前記位置判別手段が判別した前記電子機器の位置が、重力方向と画像を表示する面に垂直な方向に延び、前記所定位置を含む平面上にあると判別した場合、前記音声出力手段から音声が出力されない、もしくは、前記左用の音声と前記右用の音声が共に出力されるように、前記接続および切断を制御することを特徴とする請求項２に記載の電子機器。
【請求項４】
前記電子機器が第１の姿勢であるか、該第１の姿勢に対して上下が逆である第２の姿勢であるか、を判別する設置状態判別手段を更に有し、
前記音声出力制御手段は、前記設置状態判別手段の判別結果に更に基づいて前記接続および切断を制御することを特徴とする請求項１乃至３のうちいずれか１項に記載の電子機器。
【請求項５】
前記電子機器は、被投射面に画像を投射する画像表示装置であり、
前記設置状態判別手段は、前記被投射面に関して前記電子機器と前記所定位置が同じ側にあるか反対側にあるか、を更に判別することを特徴とする請求項４に記載の電子機器。
【請求項６】
前記音声出力手段を更に有することを特徴とする請求項１乃至５のうちいずれか１項に記載の電子機器。
【請求項７】
複数の音声出力手段が設けられ、各音声出力手段は、前記左用の音声と前記右用の音声のいずれも出力することができることを特徴とする請求項６に記載の電子機器。
【請求項８】
前記音声出力手段に接続される出力端子を更に有することを特徴とする請求項１乃至５のうちいずれか１項に記載の電子機器。
【請求項９】
前記電子機器は、被投射面に画像を投射する画像表示装置であり、複数の画像表示装置が複数の画像を一部が重なるように前記被投射面に投射して全体で１つの画像を表示する場合に、前記位置判別手段は、前記画像の重なり領域の位置の情報を使用して、前記電子機器の位置を判別することを特徴とする請求項１乃至８のうちいずれか１項に記載の電子機器。
【請求項１０】
前記被投射面の輝度を測定する輝度測定手段と、該輝度測定手段の測定結果に基づいて前記重なり領域としての高輝度領域の位置の情報を取得する取得手段と、を更に有し、
前記位置判別手段は、前記取得手段が取得した情報に基づいて前記電子機器の位置を判別することを特徴とする請求項９に記載の電子機器。
【請求項１１】
前記電子機器は、被投射面に画像を投射する画像表示装置であり、複数の画像表示装置が複数の画像を一部が重なるように前記被投射面に投射して全体で１つの画像を表示する場合に、前記位置判別手段は、前記複数の画像表示装置の少なくとも１つが投射する画像の輝度を変化させた場合に前記１つの画像のどの部分が変化するかを示す情報を使用して、前記電子機器の位置を判別することを特徴とする請求項１乃至８のうちいずれか１項に記載の電子機器。
【請求項１２】
前記画像を表示する表示手段を更に有することを特徴とする請求項２に記載の電子機器。
【請求項１３】
それぞれが被投射面に画像を投射すると共に音声を出力する複数の画像表示装置と、コンピュータと、撮像装置と、を有する電子機器であって、
前記画像表示装置は、
前記画像表示装置の位置を判別する位置判別手段と、
入力信号に基づいて音声出力手段を駆動する駆動信号を出力する音声信号処理手段と、
左用の音声と右用の音声のうち前記位置判別手段が判別した前記画像表示装置の位置に対応する音声が前記音声出力手段から出力され、前記電子機器の位置に対応しない音声が前記音声出力手段から出力されないように、前記音声信号処理手段と前記音声出力手段の接続および切断を制御する音声出力制御手段と、
を有し、
前記コンピュータは、前記複数の画像表示装置の少なくとも１つが投射する画像の輝度を変化させ、前記撮像装置に、前記輝度を変化させる前後の前記１つの画像を撮像させ、撮像結果を比較することによって、前記１つの画像のどの部分が変化するかを示す情報を取得し、
前記位置判別手段は、前記コンピュータが取得した前記情報を使用して、前記画像表示装置の位置を判別することを特徴とする電子機器。
【請求項１４】
それぞれが被投射面に画像を投射すると共に音声を出力する複数の画像表示装置と、撮像装置と、を有する電子機器の制御方法であって、
前記画像表示装置は、
前記画像表示装置の位置を判別する位置判別手段と、
入力信号に基づいて音声出力手段を駆動する駆動信号を出力する音声信号処理手段と、
左用の音声と右用の音声のうち前記位置判別手段が判別した前記画像表示装置の位置に対応する音声が前記音声出力手段から出力され、前記電子機器の位置に対応しない音声が前記音声出力手段から出力されないように、前記音声信号処理手段と前記音声出力手段の接続および切断を制御する音声出力制御手段と、
を有し、
前記制御方法は、
前記複数の画像表示装置の少なくとも１つが投射する画像の輝度を変化させる第１ステップと、
前記撮像装置に、前記第１ステップで前記輝度を変化させる前後の前記１つの画像を撮像させる第２ステップと、
前記第２ステップによる撮像結果を比較することによって、前記１つの画像のどの部分が変化するかを示す情報を取得する第３ステップと、
前記第３ステップで取得した情報を対応する画像表示装置に送信する第４ステップと、
を有し、
前記位置判別手段は、前記第４ステップによって取得した前記情報を使用して、前記画像表示装置の位置を判別することを特徴とする電子機器の制御方法。
【発明の詳細な説明】
【技術分野】
【０００１】
本発明は、プロジェクターやディスプレイなどの電子機器に関する。
【背景技術】
【０００２】
特許文献１は、画像の反転表示状態に基づいて、ステレオ音声信号源から得られる左右それぞれのチャンネルの音声信号を、左右どちらのスピーカーで再生するかを切り替えるプロジェクターを提案している。
【先行技術文献】
【特許文献】
【０００３】
【特許文献１】特許３７３８６９８号公報
【発明の概要】
【発明が解決しようとする課題】
【０００４】
特許文献１によれば、複数台のプロジェクターが投射する画面を並べて投射するマルチ投射を行う場合、各プロジェクターがそれぞれ左右両方のチャンネルの音声信号を出力することになる。複数台のプロジェクターの略中央にいるユーザーには、左側から左右両チャンネルの音声、右側から左右両チャンネルの音声が聞こえることになり、ステレオ音声として認識することができない。
【０００５】
本発明は、複数の電子機器が同時に使用される場合に、ユーザーが音声をステレオで聴くことが可能な電子機器およびその制御方法を提供することを例示的な目的とする。
【課題を解決するための手段】
【０００６】
本発明の電子機器は、音声を出力する電子機器であって、所定位置に対する前記電子機器の位置を判別する位置判別手段と、入力信号に基づいて音声出力手段を駆動する駆動信号を出力する音声信号処理手段と、左用の音声と右用の音声のうち前記位置判別手段が判別した前記電子機器の位置に対応する音声が前記音声出力手段から出力され、前記電子機器の位置に対応しない音声が前記音声出力手段から出力されないように、前記音声信号処理手段と前記音声出力手段の接続および切断を制御する音声出力制御手段と、を有することを特徴とする。
【発明の効果】
【０００７】
本発明によれば、複数の電子機器が同時に使用される場合に、ユーザーが音声をステレオで聴くことが可能な電子機器およびその制御方法を提供することができる。
【図面の簡単な説明】
【０００８】
【図１】本発明の画像表示装置の構成図である。（実施例１）
【図２】本発明の画像表示装置の構成図と配置図である。（実施例２）
【図３】本発明の画像表示装置の配置図と構成図である。（実施例３）
【図４】本発明の画像表示装置の構成図である。（実施例４）
【図５】本発明の画像表示装置の構成図である。（実施例５）
【図６】図５に示す輝度センサによる輝度の測定を説明するための斜視図である。（実施例５）
【図７】本発明の画像表示システムの斜視図である。（実施例６）
【図８】図７に示す画像表示システムの動作を説明するためのフローチャートである。（実施例６）
【図９】操作画面の一例を示す図である。（実施例７）
【発明を実施するための形態】
【０００９】
本発明は、少なくとも音声を出力する電子機器に適用することができるが、電子機器は画像を更に出力してもよい。例えば、電子機器は、液晶プロジェクター、ＤＭＤを使用するミラー型プロジェクターなどの投射型画像表示装置や、液晶ディスプレイ、ＣＲＴディスプレイなどの画像表示装置、スマートホンやＰＤＡ等のその他の電子機器を含む。また、電子機器は画像を出力してもよく、複数の電子機器は、複数の画像を出力して該複数の画像が全体として１つの画像を形成してもよく、その際、複数の画像を一部が重なるようにしてもよい。
【実施例１】
【００１０】
図１は、本発明の実施例１に係る投射型画像表示装置（電子機器）１００Ａの構成図である。画像表示装置１００Ａは、左チャンネル音声入力部１０１Ａ、右チャンネル音声入力部１０１Ｂ、スピーカー（ＳＰ）１０４、音声出力制御部１１０Ａ、位置判別手段１２０、設置状態判別手段１２２、操作部１２４、記憶部１２６を有する。また、画像表示装置１００Ａは、画像をスクリーン（被投射面）上に投射する。
【００１１】
画像表示装置１００Ａの外部の音声出力機器または画像表示装置内部の音声出力部から、左チャンネル音声入力部１０１Ａには左チャンネル音声信号が入力され、右チャンネル音声入力部１０１Ｂには右チャンネル音声信号が入力される。左チャンネル音声信号は、ユーザー（視聴者）の左耳用（左用）の音声信号であり、右チャンネル音声信号は、ユーザーの右耳用（右用）の音声信号である。左チャンネル音声入力部１０１Ａと右チャンネル音声入力部１０１Ｂは、複数のチャンネルの音声信号を入力し、入力信号に基づいてスピーカー１０４を駆動する駆動信号を出力する音声信号処理手段として機能する。
【００１２】
スピーカー１０４は、ユーザーが聴くことのできる音声を出力する音声出力手段の一例である。スピーカー１０４は、画像表示装置１００Ａの筺体の後面の中央に設けられるなど、画像を投射する投射光学系の光軸を含み、鉛直方向（重力方向）に延びる平面と交差するように設けられてもよい。
【００１３】
音声出力制御部（音声出力制御手段）１１０Ａは、２つのスイッチ１１２、１１４を有し、これらの開閉を制御する。これによって、音声出力制御部１１０Ａは、各チャンネルの音声信号ごとに音声信号処理手段と音声出力手段の接続および切断を制御する。音声出力制御部１１０Ａは、スイッチ１１２、１１４の開閉によって、左チャンネル音声入力部１０１Ａから入力される左チャンネル音声信号の出力と右チャンネル音声入力部１０１Ｂから入力される右チャンネル音声信号の出力を制御する。
【００１４】
スイッチ１１２を閉じると、左チャンネル音声信号がスピーカー１０４に出力され、スイッチ１１２を開けると、左チャンネル音声信号がスピーカー１０４に出力されない。スイッチ１１４を閉じると、右チャンネル音声信号がスピーカー１０４に出力され、スイッチ１１４を開けると、右チャンネル音声信号がスピーカー１０４に出力されない。この結果、スピーカー１０４は、音声出力を行わない、左チャンネル音声信号のみを出力する、右チャンネル音声信号のみを出力する、左チャンネル音声信号および右チャンネル音声信号の両方出力する、という４つの状態を採ることができる。
【００１５】
操作部１２４は、ユーザーが入力する入力部であり、ボタン、スイッチ、ダイヤル、液晶画面などなどを含む。液晶画面などの表示手段は操作部１２４と別体に設けられてもよい。操作部１２４を介してユーザーは、スイッチ１１２、１１４の開閉を手動で選択するための情報、ユーザーから見た画像表示装置１００Ａの位置情報、画像表示装置１００Ａの設置情報などを入力することができる。記憶部（記憶手段）は、操作部１２４から入力された情報を記憶するメモリである。
【００１６】
位置判別手段１２０は、ユーザー（所定位置）に対して、画像表示装置１００Ａの筺体が左側、右側および中央のいずれの位置にあるのかを判別する。なお、「中央」とは、ユーザーの正中線を含む平面が画像表示装置１００Ａの筺体と重なる（重力方向と画像を表示する面に垂直な方向に延び、所定位置を含む平面上にある）ことを意味し、多少の位置ずれは許容する趣旨である。判別方法は限定されず、例えば、ユーザーは、操作部１２４を介して、左側、右側および中央のいずれかを選択してもよい。
【００１７】
設置状態判別手段１２２は、画像表示装置１００Ａの設置状態を判別する。設置状態は、机上置きと天吊りを含む。ここで、「机上置き」は、画像表示装置を卓上に配置するなど、画像表示装置の筺体の天板が、筺体の底板に対して重力方向の上側に位置する第１の姿勢の設置状態（通常設置状態）である。「天吊り」は、画像表示装置の上下を逆にして天井に取り付けるなど、画像表示装置の天板が、底板に対して重力方向の下側に位置する第２の姿勢での設置状態であり、通常設置状態に対して上下逆に設置される状態である。後述する実施例２など、天吊りでは、ユーザーに対するスピーカーの位置が逆転する場合がある。設置状態判別手段１２２は、ユーザーが、操作部１２４を介して入力して記憶部１２６に記憶された天吊りの設定値を読み取ってもよいし、不図示の重力センサなどの検出手段を備え、天吊りか否かを検出手段の検出結果に基づいて自動で判別してもよい。
【００１８】
音声出力制御部１１０Ａは、スイッチ１１２、１１４のオン、オフを、ユーザーが手入力した情報によって制御してもよいし、位置判別手段１２０と設置状態判別手段１２２の判別結果と予め設定された情報に基づいて自動で制御してもよい。自動制御は、例えば、天吊りの設定値をユーザーが変更した場合、重力センサなどの検出手段を利用して天吊りか否かを判別した場合のトリガに基づいて行われてもよい。
【００１９】
予め設定された情報は、後述するように、複数の画像表示装置が同時に使用された場合に、ユーザーが音声をステレオで聴けるようにするための情報であって、位置判別手段１２０と設置状態判別手段１２２の判別結果に対応する情報である。
【００２０】
音声出力制御部１１０Ａは、スピーカー１０４から、位置判別手段１２０が判別した画像表示装置１００Ａの位置に対応する音声が出力され、位置判別手段１２０が判別した画像処理装置１００Ａの位置に対応しない音声が出力されないように制御する。例えば、位置判別手段１２０が判別した画像表示装置１００Ａの位置が、ユーザーの左側（左耳側）である場合、スピーカー１０４から左チャンネル音声が出力され、右チャンネル音声など他のチャンネルの音声が出力されないようにさせる。同様に、位置判別手段１２０が判別した画像表示装置１００Ａの位置が、ユーザーの右側（右耳側）である場合、スピーカー１０４から右チャンネル音声が出力され、左チャンネル音声など他のチャンネルの音声が出力されないようにさせる。この結果、複数の画像表示装置が同時に使用される場合に、ユーザーは音声をステレオで聴くことができる。複数の画像表示装置が同時に使用される場合は、例えば、複数の画像表示装置が複数の画像を出力して全体として１つの画像を形成する場合であり、これは、他の実施例でも同様である。
【００２１】
例えば、音声出力制御部１１０Ａは、画像表示装置１００Ａがユーザーの左側に位置すると判別された場合、スイッチ１１２を閉じ、スイッチ１１４を開け、左チャンネル音声信号をスピーカー１０４から出力させる。また、音声出力制御部１１０Ａは、画像表示装置１００Ａがユーザーの右側に位置すると判別された場合、スイッチ１１２を開け、スイッチ１１４を閉じ、右チャンネル音声信号をスピーカー１０４から出力させる。音声出力制御部１１０Ａは、画像表示装置１００Ａがユーザーに対して略中央に位置する場合、左右両方のチャンネルの音声を出力するか、中央に相当する音声チャンネルの信号を出力するか、音声出力をしないか、を選択することができる。
【００２２】
なお、画像表示装置の設置状態が固定（１種類）である場合もあるので、音声出力制御部１１０Ａは、少なくとも位置判別手段１２０の判別結果に基づいて、各チャンネルの音声信号の出力を制御すれば足りる。
【００２３】
本実施例によれば、ユーザーに画像表示装置１００Ａの設置状態を深く意識させることなく、ステレオの音声を提供することができる。
【実施例２】
【００２４】
図２（Ａ）は、本発明の実施例２に係る投射型画像表示装置１００Ｂの構成図である。画像表示装置１００Ｂは、音声出力制御部１１０Ａの代わりに、音声出力制御部１１０Ｂを有し、スピーカー１０４と同じ構造の複数のスピーカー(即ち、第１のスピーカー１０４Ａ、第２のスピーカー１０４Ｂ)を有する点で画像表示装置１００Ａと相違する。それ以外の点では、画像表示装置１００Ｂは画像表示装置１００Ａと同様であり、共通する部分には同一の参照符号を付している。第１のスピーカー（ＳＰ１）１０４Ａ、第２のスピーカー（ＳＰ２）１０４Ｂは、机上置きされた画像表示装置１００Ａの筺体の後面の左側、右側など、机上置きされた画像表示装置１００Ｂの投射光軸を含み、鉛直方向に延びる平面の両側に配置されてもよい。
【００２５】
机上置きにおいて、第１のスピーカー１０４Ａがユーザーの右側、第２のスピーカー１０４Ｂがユーザーの左側に位置する場合、天吊りにおいては、第１のスピーカー１０４Ａがユーザーの左側、第２のスピーカー１０４Ｂがユーザーの右側に位置することとなる。
【００２６】
音声出力制御部１１０Ｂは、４つのスイッチ１１２Ａ、１１２Ｂ、１１４Ａ、１１４Ｂを有し、これらの開閉を制御する。音声出力制御部１１０Ｂは、４つのスイッチ１１２Ａ、１１２Ｂ、１１４Ａ、１１４Ｂの開閉によって、左チャンネル音声入力部１０１Ａから入力される左チャンネル音声信号と右チャンネル音声入力部１０１Ｂから入力される右チャンネル音声信号の出力を制御する。
【００２７】
スイッチ１１２Ａを閉じると、左チャンネル音声信号が第１のスピーカー１０４Ａに出力され、スイッチ１１２Ａを開けると、左チャンネル音声信号が第１のスピーカー１０４Ａに出力されない。スイッチ１１２Ｂを閉じると、左チャンネル音声信号が第２のスピーカー１０４Ｂに出力され、スイッチ１１２Ｂを開けると、左チャンネル音声信号が第２のスピーカー１０４Ｂに出力されない。スイッチ１１４Ａを閉じると、右チャンネル音声信号が第１のスピーカー１０４Ａに出力され、スイッチ１１４Ａを開けると、右チャンネル音声信号が第１のスピーカー１０４Ａに出力されない。スイッチ１１４Ｂを閉じると、右チャンネル音声信号が第２のスピーカー１０４Ｂに出力され、スイッチ１１４Ｂを開けると、右チャンネル音声信号が第２のスピーカー１０４Ｂに出力されない。この結果、第１のスピーカー１０４Ａは、音声出力を行わない、左チャンネル音声信号のみを出力する、右チャンネル音声信号のみを出力する、左チャンネル音声信号および右チャンネル音声信号の両方出力する、という４つの状態を採ることができる。これは、第２のスピーカー１０４Ｂについても同様である。
【００２８】
第１のスピーカー１０４Ａと第２のスピーカー１０４Ｂを個別に制御することにより、画像表示装置１００Ｂが１台の場合でも、ユーザーは、音声をステレオで聴くことができる。
【００２９】
音声出力制御部１１０Ｂは、スイッチ１１２Ａ、Ｂ、１１４Ａ、Ｂのオン、オフを、ユーザーが手入力した情報によって制御してもよいし、位置判別手段１２０と設置状態判別手段１２２の検出結果に基づいて自動で制御してもよい。
【００３０】
音声出力制御部１１０Ｂは、位置判別手段１２０が、画像表示装置１００Ｂがユーザーの左側にあると判別した場合、スピーカー１０４Ａ、Ｂから左チャンネル音声が出力され、右チャンネル音声など他のチャンネルの音声が出力されないようにさせる。また、音声出力制御部１１０Ｂは、位置判別手段１２０が、画像表示装置１００Ｂがユーザーの右側にあると判別した場合は、スピーカー１０４Ａ、Ｂから右チャンネル音声が出力され、左チャンネル音声信号などが出力されないようにさせる。この結果、複数の画像表示装置が同時に使用される場合に、ユーザーは音声をステレオで聴くことができる。
【００３１】
例えば、部屋の左右に２台の画像表示装置１００Ｅが設置されているとする。図２（Ｂ）は、２台の画像表示装置１００Ｅを机上置きした状態を示す正面図、図２（Ｃ）は、２台の画像表示装置１００Ｅを天吊りした状態を示す正面図である。図２（Ｂ）、（Ｃ）を比較すると、プロジェクターは上下逆に設置されているので、机上置きで、第１のスピーカー１０４Ａと第２のスピーカー１０４Ｂの配置は逆になっている。
【００３２】
音声出力制御部１１０Ｂは、自装置がユーザーの左側に位置する場合、スイッチ１１２Ａ、Ｂを閉じ、スイッチ１１４Ａ、Ｂを開け、両スピーカー１０４Ａ、Ｂから左チャンネル音声を出力させる。また、音声出力制御部１１０Ｂは、自装置が右側に位置する場合、スイッチ１１２Ａ、Ｂを開け、スイッチ１１４Ａ、Ｂを閉じ、両スピーカー１０４Ａ、Ｂから右チャンネル音声を出力させる。音声出力制御部１１０Ｂは、自装置がユーザーに対して略中央に位置する場合、左右両方のチャンネルの音声を出力するか、中央に相当する音声チャンネルの信号を出力するか、音声出力をしないか、などを選択することができる。
【００３３】
表１は、位置判別手段１２０と設置状態判別手段１２２の判別結果に基づいて、第１のスピーカー１０４Ａおよび第２のスピーカー１０４Ｂがどのチャンネルの音声信号を出力するかの一例を示したものである。即ち、本実施例では、表１が予め設定された情報となる。「左音声」は左チャンネル音声を表し、「右音声」は右チャンネル音声を表している。表１の「左右位置」は、ユーザーから見た画像表示装置の位置である。
【００３４】
【表１】
2016201694.tif 000003
【００３５】
上述した第１の姿勢と第２の姿勢では、被投射面に関してユーザーは画像表示装置と同じ側に位置する。これに対して、ユーザーから見てスクリーンの裏側に画像表示装置が設置される場合もある。この場合、画像表示装置の天板が、底板に対して重力方向の上側に位置する、第１の姿勢に対応する設置状態を「リア」（第３の姿勢）と表す。また、画像表示装置の天板が、底板に対して重力方向の下側に位置する、第２の姿勢に対応する設置状態を「リア・天吊り」（第４の姿勢）と表す。第３の姿勢と第４の姿勢では、スクリーンに関してユーザーは画像表示装置と反対側に位置する。
【実施例３】
【００３６】
図３（Ａ）は、本発明の実施例３に係る投射型画像表示装置１００Ｃの机上置きした状態を示す斜視図、図３（Ｂ）は、その天吊りした状態を示す斜視図である。ＰＩは、スクリーン上（被投射面上）に投射される画像領域を表している。本実施例では、複数の画像表示装置１００Ｃが、複数の画像を一部が重なるように被投射面に投射して全体で１つの画像を表示する場合を示している。
【００３７】
画像領域ＰＩにおいて、ＥＢは、２つの投射画像ＰＩの一部が重ね合わされた領域（重なり領域）であるエッジブレンド領域を示している。複数台の画像表示装置１００Ｃを並べ、投射画像ＰＩの一部を重ね合わせながら大きな投射画像を得る際に、ユーザーには継ぎ目のない一枚の大きな画像が認識されるように、重ね合わされた領域の輝度を段階的に調整する。この重なり領域をエッジブレンド領域という。
【００３８】
図３（Ａ）の左側の画像表示装置１００Ｃのエッジブレンド領域ＥＢは、スクリーンの左から右に行くに従って輝度が漸次的に低くなるように調整されている。図３（Ａ）の右側の画像表示装置１００Ｃのエッジブレンド領域ＥＢは、スクリーンＳの左から右に行くに従って輝度が漸次的に高くなるように調整されている。これら２つの投射画像をスクリーン上で合成することによって、ユーザーには継ぎ目のない一枚の画像を認識させることができる。
なお、図３は、便宜上左右の画像表示装置１００Ｃからの投射画像ＰＩを離して示しているが、実際の使用においては、重ね合わせて使用することになる。
【００３９】
本実施例では、音声出力制御部は、画像表示装置１００Ｃの設置状態およびエッジブレンドの位置により、音声信号の出力を制御することが可能である。エッジブレンドの設定自体はユーザーが操作部１２４から入力する。
【００４０】
図３（Ｃ）は、画像表示装置１００Ｃの構成図である。画像表示装置１００Ｃでは、エッジブレンド検出手段１２８を有する点で画像表示装置１００Ｂと相違する。エッジブレンド検出手段１２８は、ユーザーが操作部１２４から入力して記憶部１２６に記憶されたエッジブレンド設定情報を参照することによって、エッジブレンド領域ＥＢが画像領域の左右どちらの側にあるかを検出する。位置判別手段１２０は、エッジブレンド検出手段１２８の検出結果に基づいて、即ち、エッジブレンド領域ＥＢの位置の情報を使用して、画像表示装置１００Ｂのユーザーに対する位置を判別することができる。
【００４１】
エッジブレンド領域ＥＢを画像領域の左右のいずれにも設けることが可能な画像表示装置１００Ｃは、エッジブレンド領域ＥＢが画像領域の左右どちらの側にあるかの情報をエッジブレンド設定情報に含んでいる。
【００４２】
机上置きの場合は、エッジブレンド領域ＥＢの位置情報が、ユーザーから見た画像領域のエッジブレンドの位置と一致する。天吊りの場合は、エッジブレンド領域ＥＢの位置情報と、ユーザーから見た画像領域のエッジブレンドの位置が逆になる。例えば、机上置きされた画像表示装置１００Ｃの筐体の右側にエッジブレンド領域ＥＢが設けられている場合、ユーザーから見たスクリーン上の画像領域ＰＩでは、左側にエッジブレンド領域ＥＢが現れる。机上置きされた画像表示装置１００Ｃの筐体に対するエッジブレンド領域ＥＢの位置情報と、設置状態の情報から、ユーザーから見たスクリーン上の画像領域ＰＩのどちら側にエッジブレンド領域ＥＢが現れるのかを判別することができる。
【００４３】
スクリーン上の画像領域ＰＩのどちら側にエッジブレンド領域ＥＢが現れるのかが判別されれば、当該エッジブレンド領域ＥＢを複数の画像表示装置のいずれが投射しているのかを判別することができる。
【００４４】
エッジブレンド領域ＥＢの幅はユーザーの操作に基づいて変更可能であり、エッジブレンド設定情報は、エッジブレンド領域ＥＢの幅の情報も含んでいる。エッジブレンド検出手段は、机上置きされた画像表示装置１００Ｃの筐体に対するエッジブレンド領域ＥＢの位置情報を、設定されている幅の値に基づいて判別してもよい。
【００４５】
音声出力制御部１１０Ｃは、画像表示装置１００Ｃの設置状態とエッジブレンドＥＢの位置によって、第１のスピーカー１０４Ａ（ＳＰ１）および第２のスピーカー１０４Ｂ（ＳＰ２）への出力を制御する。表２は、この結果をまとめたものである。即ち、本実施例では、表２が予め設定された情報となる。「左音声」は左チャンネル音声信号を表し、「右音声」は右チャンネル音声信号を表している。
【００４６】
【表２】
2016201694.tif 000004
【００４７】
表２に示す音声出力制御により、ユーザーは、ステレオで音声を聴くことができる。例えば、画像表示装置１００Ｃが机上置きでユーザーの左側に存在する場合（「パネル右側エッジブレンド」の場合）には、左右両方のスピーカー１０４Ａ、Ｂから左チャンネル音声信号を出力する。画像表示装置１００Ｃが机上置きでユーザーの右側に存在する場合（「パネル左側エッジブレンド」の場合）、左右両方のスピーカー１０４Ａ、Ｂから右チャンネル音声信号を出力する。なお、「パネル」は液晶パネル（光変調素子）を表している。エッジブレンドが設定されていない（「エッジブレンドなし」の場合）、もしくはパネルの左右両方にエッジブレンドが設定されている場合（「パネル左右エッジブレンド」の場合）、ユーザーに対する画像表示装置１００Ｃの位置を判別することができない。このような場合には、左右両方のスピーカーからの音声出力を行わないようにすることによって、ユーザーにステレオ音声を提供することができる。なぜなら、左端、右端の画面を出力する画像表示装置１００Ｃによって、ステレオ音声が出力されるからである。
【００４８】
画像表示装置１００Ｃの台数が３台である場合には、設置状態に応じて、ユーザーに対して最も左側に配置される画像表示装置からは左チャンネル音声信号を、ユーザーに対して最も右側に配置される画像表示装置からは右チャンネル音声信号を、出力させてもよい。
【実施例４】
【００４９】
本発明は、スピーカーが画像表示装置と別体である場合にも適用することができる。この場合、画像表示装置の音声出力端子（ステレオミニプラグ）とスピーカーの入力端子がケーブルで接続されることになる。図４は、本発明の実施例４に係る画像表示装置１００Ｄの構成図である。画像表示装置１００Ｄは、画像表示装置１００Ｃにおいてスピーカー１０４Ａ、１０４Ｂの代わりに、ステレオ音声出力端子１３０を有する点で相違し、それ以外の点では画像表示装置１００Ｃと同様である。音声出力制御部１１０Ｄは音声出力制御部１１０Ｃと同様である。
【００５０】
ステレオ音声出力端子１３０は、それぞれが音声信号の出力端子として機能する第１の音声信号出力部１３２と第２の音声信号出力部１３４を有する。第１の音声信号出力部１３２と第２の音声信号出力部１３４にはそれぞれケーブルの一端が接続され、ケーブルの他端は外部スピーカーの入力端子と接続される。なお、第１の音声信号出力部１３２に接続される外部スピーカーと第２の音声信号出力部１３４に接続される外部スピーカーは、投射光軸を含み、鉛直方向に延びる平面に関して両側、対応するスピーカー１０４Ａ、１０４Ｂと同じ側に設けられる。
【００５１】
音声出力制御部１１０Ｄは、画像表示装置１００Ｄの設置状態とエッジブレンドＥＢの位置によって、第１の音声信号出力部１３２と第２の音声信号出力部１３４への出力を制御する。表３は、この結果をまとめたものである。即ち、本実施例では、表３が予め設定された情報となる。「出力部１」は第１の音声信号出力部１３２を表し、「出力部２」は第２の音声信号出力部１３４を表す。
【００５２】
【表３】
2016201694.tif 000005
【００５３】
表３に示すように、画像表示装置１００Ｄの設置状態とエッジブレンドＥＢの位置によって、ユーザーがステレオで音声を聴くことを可能にする音声出力をステレオ音声出力端子１３０とケーブルで接続された外部スピーカーから行うことができる。
【実施例５】
【００５４】
図５は、本発明の実施例５に係る投射型画像表示装置１００Ｅの構成図である。画像表示装置１００Ｅは、液晶プロジェクターとして構成され、入力信号に従って液晶パネル（液晶表示素子）を変調駆動し、光源からの光を利用して画像を不図示のスクリーン（被投射面）に投射（拡大投影）する。入力信号は表示画像に対応する。
【００５５】
画像表示装置１００Ｅは、ＣＰＵ１４０、画像入力部１４２、画像処理部１４４、液晶パネル制御部１４６、ランプ１４８、液晶パネル１５０、投射光学系１５２、ズームレンズ１５４、輝度センサ１５６を更に有する。音声出力制御部１１０Ｅは、音声出力制御部１１０Ｂと同様の構成を有する。
【００５６】
ＣＰＵ１４０は、マイクロコンピュータから構成され、図５に示す各部の動作を制御する。画像入力部１４２は、ＶＧＡやＶｉｄｅｏ信号などのアナログ信号をデジタル信号に変換するＡＤ変換や、ＨＤＭＩ（登録商標）やＤＶＩなどのデジタル信号を所定のデジタル信号フォーマットに変換するレシーバを含む。画像入力部１４２にて変換されたデジタル画像信号は、画像処理部１４４に送られる。画像処理部１４４は、専用のＤＳＰなどで構成され、入力画像の解像度を読み取り、内部での処理に必要な解像度へ変換するスケーリング処理や、ボタン操作時のメニュー表示や台形補正（キーストン補正）処理などを行う。
【００５７】
画像処理部１４４によって所定フォーマットに処理されたデジタル信号は、液晶パネル制御部１４６に送られ、液晶パネル１５０を駆動する液晶駆動信号に変換される。ランプ１４８は、液晶パネル１５０を照明する光源の一例であるが、ＬＥＤなどランプには限定されない。液晶パネル１５０は、液晶駆動信号に基づいてランプ１４８からの光を変調する光変調素子である。液晶パネル１５０は、ランプ１４８と不図示の照明光学系を介して照明される。照明光学系は、照度分布が均一化する均一化素子、照明光をＲＧＢの３色に分離する色分離部を含み、色分離された光は、ＲＧＢそれぞれの液晶パネルに照射され、画像信号に応じて透過率（反射率）が変更される。ＲＧＢそれぞれの透過光（反射光）を色合成部にて合成することにより、投射される画像が生成される。
【００５８】
投射光学系１５２とズームレンズ１５４は、生成された画像をスクリーンへ拡大投射する。ズームレンズ１５４は、投射光学系１５２の一部を構成し、光軸上を移動し、焦点距離を変更する。
【００５９】
輝度センサ１５６は、被投射面の輝度を測定する輝度測定手段であり、本実施例では、ＣＰＵ１４０と輝度センサ１５６は、上述した位置判別手段１２０として機能する。ＣＰＵ１４０は、輝度センサ１５６の測定結果に基づいて各画像表示装置が投射する画像における高輝度領域の位置の情報を取得する取得手段として機能する。本実施例においても、複数の画像表示装置が複数の画像を一部が重なるように被投射面に投射して全体で１つの画像を表示する。この場合に、位置判別手段１２０は、ＣＰＵ１４０が取得した情報に基づいて画像表示装置１００Ｃのユーザーに対する位置を判別する。
【００６０】
図６は、輝度センサ１５６による輝度の測定を説明するための斜視図である。図６（Ａ）は、単一の画像表示装置１００Ｅが画像を投射する際に、スクリーンの輝度を輝度センサ１５６で測定する様子を示す斜視図である。図６（Ｂ）は、複数の（ここでは２台の）画像表示装置１００Ｅが画像を投射する際に、スクリーンＳの輝度を輝度センサ１５６で測定する様子を示す斜視図である。
【００６１】
図６（Ａ）において、ＰＩは、画像表示装置１００Ｅが投射する画像領域を示している。ＳＡは、輝度センサ１５６で輝度をセンシングする対象の検出領域を示している。なお、画像表示装置１００Ｅがズームレンズ１５４を介して画像を投射する場合、画像領域ＰＩＡはズーム位置によって変化する。検出領域ＳＡは、ズーム最大位置での画像領域ＰＩを含む領域をカバーするように設定される。検出領域ＳＡには、画像領域ＰＩ以外に高輝度領域がないので、ＣＰＵ１４０は単一の画像表示装置１００Ｅが画像を投射していると判断する。音声出力制御部１１０Ｅは、ＣＰＵ１４０の判断結果に基づいて、例えば、表２の「エッジブレンドなし」の制御を行う。
【００６２】
図６（Ｂ）において、ＰＩＡは、左側の画像表示装置１００Ｅが投射する画像領域、ＰＩＢは右側の画像表示装置１００Ｅが投射する画像領域を示している。左側の画像表示装置１００Ｅが輝度測定を行い、その結果から、自装置の投射領域の隣に、高輝度領域Ｈが存在することを判断できる。高輝度領域Ｈは、その後に輝度調整されてエッチブレンド領域ＥＢとなる。
【００６３】
左側の画像表示装置１００ＥのＣＰＵ１４０は、輝度センサ１５６による輝度測定結果から、検出領域ＳＡの右側に、高輝度領域Ｈが存在することを判別できる。机上置きの場合、ＣＰＵ１４０は、ユーザーから見てその画像表示装置１００Ｅが投射画面全体の左側に画像を投射していると判断できる。天吊りの場合、検出領域の右端に高輝度領域が存在した場合、ＣＰＵ１４０はユーザーから見てその画像表示装置１００Ｅが投射画面全体の右側に画像を投射していると判断できる。
【００６４】
ＣＰＵ１４０は、その判断結果を音声出力制御部１１０Ｅに送信し、音声出力制御部１１０Ｅは、ＣＰＵ１４０の判断結果に基づいて、例えば、表２の「パネル左側エッジブレンド」または「パネル右側エッジブレンド」の制御を行う。ＣＰＵ１４０が、検出領域ＳＡの両側に高輝度領域Ｈが存在することを判別すると、音声出力制御部１１０Ｅは、例えば、表２の「パネル左右エッジブレンド」の制御を行う。本実施例によれば、ユーザーから見て、投射画面のどちら側を投射しているかを判断することによって、ユーザーはステレオで音声を聴くことができる。
【実施例６】
【００６５】
図７は、本発明の実施例６に係る画像表示システム（電子機器）の斜視図である。画像表示システムは、２台の画像表示装置１００Ｂと、投射画像を撮像する撮像装置２００と、パーソナルコンピュータ（ＰＣ）２２０から構成されている。なお、画像表示装置１００Ｂの代わりに上述した他の画像表示装置を使用してもよい。また、各画像表示装置が撮像装置２００とＰＣ２２０の機能を更に有してもよい。
【００６６】
左側の画像表示装置１００Ｂの投射画像ＰＩＣと右側の画像表示装置１００Ｂの投射画像ＰＩＤを並べて配置し、エッジブレンド領域となる重なり領域を有する画面が形成されている。即ち、本実施例でも、複数の画像表示装置１００Ｂが複数の画像を一部が重なるように被投射面に投射して全体で１つの画像を表示している。
【００６７】
撮像装置２００は、デジタルスチルカメラやデジタルビデオカメラなどから構成される。ＰＣ２２０は、画像表示システムを制御するシステム制御手段として機能し、２台の画像表示装置１００Ｂと撮像装置２００とそれぞれ互いに通信可能にケーブル２４０によって接続されている。ＰＣ２２０は、ラップトップ型ＰＣとして示されているが、デスクトップ型等これに限定されない。また、通信方法は有線に限定されず、無線でもよい。
【００６８】
図８は、各画像表示装置１００Ｂの音声信号の出力を制御するために、ＰＣ２２０は、以下のステップを実行する制御方法を説明するためのフローチャートであり、「Ｓ」はステップを表す。図８に示す制御方法は、コンピュータに各ステップの機能を実行させるためのプログラムとして具現化が可能である。
【００６９】
まず、Ｓ１１において、全ての画像表示装置１００Ｂが画像を投射している状態で、ＰＣ２２０は、撮像装置２００に撮像命令を送信し、撮像装置２００から撮像画像Ａを取得する。次に、Ｓ１２において、ＰＣ２２０は、左側の画像表示装置１００Ｂに輝度を変化させる命令を送信する。次に、Ｓ１３において、ＰＣ２２０は、撮像装置２００に撮像命令を送信し、撮像装置２００から撮像画像Ｂを取得する。
【００７０】
次に、Ｓ１４において、ＰＣ２２０は、左側の画像表示装置１００Ｂに輝度を元に戻す命令を送信する。次に、Ｓ１５において、ＰＣ２２０は、撮像画像ＡとＢを比較し、輝度変化が発生した領域の投射画像全体に対する位置情報を、左側の画像表示装置１００Ｂに送信する。
【００７１】
次に、Ｓ１６において、ＰＣ２２０は、右側の画像表示装置１００Ｂに輝度を変化させる命令を送信する。次に、Ｓ１７において、ＰＣ２２０は、撮像装置２００に撮像命令を送信し、撮像装置２００から撮像画像Ｃを取得する。次に、Ｓ１８において、ＰＣ２２０は、右側の画像表示装置１００Ｂに輝度を元に戻す命令を送信する。次に、Ｓ１９において、撮像画像ＡとＣを比較し、輝度変化が発生した領域の投射画像全体に対する位置情報を、右側の画像表示装置１００Ｂに送信する。
【００７２】
なお、画像表示装置の台数が２台であれば、Ｓ１５で取得した位置情報（例えば、画面左側を表す情報）とは反対側の情報（例えば、画面右側を表す情報）を右側の画像表示装置に送信し、Ｓ１６〜Ｓ１９を省略してもよい。
【００７３】
このように、ＰＣ２２０は、複数の画像表示装置の少なくとも１つが投射する画像の輝度を変化させる第１ステップと、撮像装置２００に、第１ステップで輝度を変化させる前後の被投射面の全体の画像を撮像させる第２ステップを実行する。また、ＰＣ２２０は、第２ステップによる撮像結果を比較することによって、被投射面に投射される画像全体のどの部分が変化するかを示す情報を取得する第３ステップと、第３ステップで取得した情報を対応する画像表示装置に送信する第４ステップを実行する。位置判別手段１２０は、第４ステップによって取得した情報を使用して、画像表示装置のユーザーに対する位置を判別する。
【００７４】
本実施例によれば、各画像表示装置１００Ｂの音声出力制御部１１０Ｂは、設置状態およびＰＣ２２０から通知された位置情報により、ユーザーがステレオで音声を聴くことができるような出力制御を行うことができる。
【実施例７】
【００７５】
本実施例は、複数のディスプレイを並べて一つの画像を表示する場合について説明する。各ディスプレイは、内蔵スピーカー（または、音声出力端子）を備え、例えば、図２（Ａ）に示す構成から設置状態判別手段１２２を除いた構成を有すると共に画像を表示する表示手段を有する。但し、ディスプレイの画面はユーザーに正対しているので、第３の姿勢になっている。複数のディスプレイを並べる場合、エッジブレンド領域ＥＢはない。各音声出力制御部は、ユーザーが入力した情報に基づいて音声出力を制御する。なお、本実施例は、表示手段を有するスマートホン、携帯電話、ＰＤＡ、ラップトップＰＣ等、ゲーム機の電子機器にも適用することができる。
【００７６】
図９は、操作部１２４を構成する操作画面（オンスクリーン画面）１２５の一例を示す図である。操作画面１２５で、ユーザーは、複数のディスプレイの配置パターンを選択する。例えば、横に２台（１×２）のパターン１２５ａ、横に３台（１×３）のパターン１２５ｂ、縦横２台ずつ（２×２）のパターン１２５ｃといった選択肢の中からユーザーがメニュー操作により選択を行う。更に、選択した配置パターン（ここでは、横に２台のパターン１２５ａ）において、当該ディスプレイがどの部分の画面を構成するのかを、サブメニュー１２５ｄにより選択する。このようなユーザーの選択により、複数のディスプレイの配置における当該ディスプレイの位置を判別することができる。
【００７７】
複数のディスプレイで構成される画面をユーザーが正面から視聴する場合、複数ディスプレイの配置において左よりに存在するディスプレイはユーザーの左側、右よりに存在するディスプレイはユーザーの右側に位置する。このため、音声出力制御部は、当該ディスプレイが複数のディスプレイにおいて左側に配置された場合には、左チャンネル音声を当該ディスプレイの左右のスピーカーから出力する。音声出力制御部は、当該ディスプレイが複数のディスプレイにおいて右側に配置された場合には、右チャンネルの音声を当該ディスプレイの左右のスピーカーから出力する。また、音声出力制御部は、当該ディスプレイが複数ディスプレイにおいて中央に配置された場合には、右チャンネル音声をユーザーから見た右スピーカー、左チャンネル音声をユーザーから見た左スピーカーから出力するか、音声出力を行わない。
【００７８】
本実施例によれば、ユーザーの左側から左チャンネル音声が、ユーザーの右側から右チャンネル音声が出力され、ユーザーはステレオで音声を聴くことができる。
【００７９】
なお、ディスプレイに接続されたＰＣにおいて、図９に示す情報を設定し、ＰＣからディスプレイに送信し、音声出力制御部がその情報に基づいて音声チャンネルを切り替えてもよい。
【００８０】
以上、本発明の実施例について説明したが、本発明はこれらの実施例に限定されず、その要旨の範囲内で種々の変形及び変更が可能である。例えば、本発明において、チャンネル数は限定されない。
【産業上の利用可能性】
【００８１】
本発明は、プロジェクターやディスプレイなどの画像表示装置、スマートホン、携帯電話、ＰＤＡ、ラップトップＰＣ等の電子機器の用途に適用することができる。
【符号の説明】
【００８２】
１００Ａ〜１００Ｅ…画像表示装置（電子機器）、１０１Ａ…左チャンネル音声入力部（音声信号処理手段）、１０１Ｂ…右チャンネル音声入力部（音声信号処理手段）、１０４、１０４Ａ，Ｂ…スピーカー（音声出力手段）、１１０Ａ〜１１０Ｅ…音声出力制御部（音声出力制御手段）１２０…位置判別手段
【図４】
2016201694.tif 000006
【図１】
2016201694.tif 000007
【図２】
2016201694.tif 000008
【図３】
2016201694.tif 000009
【図５】
2016201694.tif 000010
【図６】
2016201694.tif 000011
【図７】
2016201694.tif 000012
【図８】
2016201694.tif 000013
【図９】
2016201694.tif 000014